(57)【要約】【課題】距離に応じて風量の調節を行なえる扇風機を提供すること。【解決手段】扇風機１にカメラの距離測定装置１１を設けて、人体の検知および距離の測定を行なう。この距離測定装置１１で人体を検知して扇風機１の首振り機構により人体の方向に扇風機１を向かせるとともに、距離に応じた送風をこの扇風機１に行なわせる。人体が扇風機１に異常接近したときには、危険を回避するため、扇風機を停止させる。【選択図】    図１
2004332572.tif 000002
【特許請求の範囲】
【請求項１】
風を送る扇風機において、
人体の方向を検知するとともに該人体までの距離を測定する人体検知手段と、
前記人体検知手段で検知された人体の方向に風を送る方向制御手段と、
前記人体検知手段で検知された人体までの距離に応じて、該距離が遠距離であるほど大風量の風を送る風量制御手段とを備えた扇風機。
【請求項２】
前記風量制御手段は、前記人体検知手段で検知された人体までの距離が所定の距離よりもさらに近距離であったときに、送風を停止させるものであることを特徴とする請求項１記載の扇風機。
【発明の詳細な説明】
【０００１】
【発明の属する技術分野】
本発明は、風を送る扇風機に関する。
【０００２】
【従来の技術】
人体を検知して自動的に電源スイッチが投入され、温度に応じて風量を調節する扇風機がある（例えば特許文献１）。この特許文献１の扇風機では、人体を赤外線センサで検知して風を送る方向を定め首振り機構を作動させ、人体に扇風機を向かせるとともに、温度センサにより温度を検知して、検知した温度が高ければ高いほど大風量の風を送る。しかし、風量の調節が温度によるものであると、扇風機から人体までの距離が近くも遠くても同じ風量の風が送られてしまい、扇風機から遠く離れた人には充分な量の風が当たらず、涼しさを与えることができない。
【０００３】
【特許文献１】
特開平７−１８０６９３号公報
【０００４】
【発明が解決しようとする課題】
本発明は、上記事情に鑑み、遠く離れた人にも充分な量の風を送ることができる扇風機を提供することを目的とする。
【０００５】
【課題を解決するための手段】
上記目的を達成する本発明の扇風機は、風を送る扇風機において、
人体の方向を検知するとともにその人体までの距離を測定する人体検知手段と、
上記人体検知手段で検知された人体の方向に風を送る方向制御手段と、
上記人体検知手段で検知された人体までの距離に応じて、その距離が遠距離であるほど大風量の風を送る風量制御手段とを備えたことを特徴とする。
【０００６】
上記本発明の扇風機によれば、上記人体検出手段によって距離を測定することができ、その距離に応じて上記風量制御手段により風量の調節を行なえる。上記人体検出手段に、カメラに用いられる距離測定装置を用いることで、人体の検知はもとより精度の良い距離の測定を同時に行なえる。さらに、上記風量調節手段を、モータで羽根を直接回転させる構成とすると、モータの電流を制御することによりモータの回転をそのまま羽根に伝えることができ、細かな風量の調節はもちろん、大風量の風を送ることもできる。
【０００７】
ここで上記風量制御手段は、上記人体検知手段で検知された人体までの距離が所定の距離よりもさらに近い距離であったときに、送風を停止させるものであることが好ましい。
【０００８】
このようにしておくと、例えば子供などがこの扇風機に近寄り、羽根に触る危険がある距離まで近づいたことが上記人体検出手段により検出されたときに上記風量制御手段でこの扇風機を即座に停止させることができる。
【０００９】
【発明の実施の形態】
以下、本発明の実施形態である扇風機の構成を説明する。
【００１０】
図１は本実施形態の扇風機１の構成を示す図である。
【００１１】
図１に示すように本体１０と、その本体１０の上端部に多数の羽根１ａが放射状に配設され、その多数の羽根１ａそれぞれの一端が結束され、保持されている。さらにその多数の羽根１ａが回転したときに、それら羽根１ａに触れることを防止するため多数の羽根を覆うように羽根ガードが設けられている。また、この扇風機１は、従来のごとく首振り機構を有しており、その首振り機構により首振り自在に多数の羽根１ａと羽根ガードとが本体に軸支されている。この羽根ガードと首振り機構については周知のことであるので図示していない。
【００１２】
本実施形態の扇風機１には、人体を検知するための人体検知手段としてカメラに使用される距離測定装置１１が、多数の羽根１ａの一端が結束され、多数の羽根１ａの回転中心となる部分に設けられている。この距離測定装置１１が本発明にいう人体検知手段に当たり、この距離測定装置１１によって人体の検知を行なうとともに、人体までの距離の測定を精度良く行なう。この距離測定装置１１の測定結果は、本体側に配備されている処理装置に伝えられ、その処理装置によって距離に応じた送風をこの扇風機１に行なわせる。
【００１３】
図２は処理装置を含む制御構成を示す図である。
【００１４】
本体１０側には、処理装置１２と、モータドライバ１３と、モータ１４と、電源装置１５とが配備されており、処理装置１２にはＣＰＵ１２が用いられている。
【００１５】
このＣＰＵ１２と首振り機構（不図示）とが本発明にいう方向制御手段に当たり、このＣＰＵ１２とモータドライバ１３と電源装置１５とが風量制御手段に当たる。この電源装置１５はモータ１４に電力を供給するものであり、モータドライバ１３はその電源装置１５からモータ１４に供給される電流を調節するものである。この電源装置１５はメイン電源スイッチやオート／マニュアル切替スイッチを備えたものであり、オート／マニュアル切替スイッチがオート側に切り替えられたときには、メインスイッチがオフされていても距離測定装置により人体が検知されたことを以って扇風機１を動作させることができる。またマニュアル側に切り替えられたときには、メインスイッチが投入されない限り、この扇風機１は動作しない。
【００１６】
ここでこの扇風機の作用を、図２を参照して説明する。
【００１７】
まず人体がこの扇風機１に近づいたら、距離測定装置１１で人体を検知して、その検知信号に基づいてＣＰＵ１２では首振り機構に指示を出し、この扇風機を人体の方向に向かせるとともに、電源装置１５に電源ＯＮを指示する。さらにＣＰＵ１２では距離測定装置１１で測定された距離に基づいて風量の算出を行ない、その風量情報をモータドライバ１３に伝える。モータドライバ１３ではその伝えられた風量情報に基づいて電源装置１５からモータ１４に供給される電流を調節してモータ１４を駆動する。このようにモータ１４の電流が調節されると、モータ１４の回転数が変化し、多数の羽根の回転状態を変えて風量を調節することができる。本実施形態の扇風機１ではモータ１４で直接多数の羽根１ａを駆動するため、モータ１４の回転をそのまま羽根に伝えることができ、細かな風量の調節を行なえる。また距離測定装置１１で測定された距離が遠距離であればあるほど、モータ１４の電力容量が許す限り大風量の風を送ることができる。
【００１８】
以上説明したように、扇風機にカメラに使用される距離測定装置１１を使用し、さらにモータで直接羽根を駆動することで、風量の調節を細かく行なって人体までの距離に応じた風量の風を人体に向けて送風する扇風機が実現される。
【００１９】
また、扇風機の近くに子供などがいる場合には、この扇風機１に子供が近づき、回転している多数の羽根１ａに触ってしまうこともある。そこで、ＣＰＵ１２には予め所定の距離を設定しおき、距離測定装置１１で測定された距離がその所定の距離よりも近距離であるとＣＰＵ１２が判断したときには、電源装置１５に電源ＯＦＦを指示し、モータ１４への電力の供給を停止させ、送風を停止させる処理が行なわれる。
【００２０】
図３はそのときの処理を説明する図である。
【００２１】
図３に示すようにＣＰＵ１２では距離測定装置１１から距離情報を得て、電源装置１５をオフするか否かを決定している。ＣＰＵ１２にはこの扇風機１に人体が近づいたときに危険とされる所定の距離が設定されているので、距離測定装置１１で測定された距離情報がその所定の距離よりも近距離であるとＣＰＵ１２により判定された場合、ＣＰＵ１２では電源装置１５に電源ＯＦＦを指示し、電源装置１５からモータ１４への電力の供給を停止する。
【００２２】
このようにしておくと、人体を検知して人体の距離に応じた風量の送風を行なうだけでなく、人体が扇風機に近づきすぎたときに扇風機を停止させることにより、人体に及ぶ危険を未然に回避することができる。
【００２３】
【発明の効果】
以上、説明したように、距離に応じて風量の調節を行なえる扇風機を提供することができる。
【図面の簡単な説明】
【図１】本実施形態の扇風機の外観を示す図である。
【図２】本実施形態の扇風機内の制御構成を示す図である。
【図３】本実施形態の扇風機で距離装置に基づいて扇風機の送風を停止させるときに制御部で行なわれる処理を説明する図である。
【符号の説明】
１    扇風機
１ａ    羽根
１０    本体
１１    距離測定装置（人体検知手段）
１２    処理装置
１３    モータドライバ
１４    モータ
１５    電源装置
【図１】
2004332572.tif 000003
【図２】
2004332572.tif 000004
【図３】
2004332572.tif 000005